(57)【要約】  【課題】  耐衝撃性を向上することのできるドーム型カメラを提供する。  【解決手段】  ドーム型カメラ１は、カメラユニット２を有する本体３と、カメラユニット２を覆うドームカバー４とを備える。本体３は、カメラユニット２をチルト方向に回動自在に支持するチルトテーブル９と、カメラユニット２を支持したチルトテーブル９をパン方向に回動自在に支持するパンテーブル８と、チルトテーブル９をパンテーブル８とは反対方向に付勢する弾性部材とを備える。ドームカバー４は、カメラユニット２を覆うインナーカバー５と、インナーカバー５を覆うアウターカバー６とを備える。チルトテーブル９は、弾性部材の弾性力に抗してパンテーブル８の方向に移動可能であり、インナーカバー５は、チルトテーブル９に取り付けられている。【選択図】  図１
2010197938.tif 000002
【特許請求の範囲】
【請求項１】
カメラユニットを有する本体と、前記カメラユニットを覆うドームカバーとを備えたドーム型カメラであって、
前記本体は、前記カメラユニットをチルト方向に回動自在に支持するチルトテーブルと、前記カメラユニットを支持した前記チルトテーブルをパン方向に回動自在に支持するパンテーブルと、前記チルトテーブルを前記パンテーブルとは反対方向に付勢する弾性部材とを備え、
前記ドームカバーは、前記カメラユニットを覆うインナーカバーと、前記インナーカバーを覆うアウターカバーとを備え、
前記チルトテーブルは、前記弾性部材の弾性力に抗して前記パンテーブルの方向に移動可能であり、前記インナーカバーは、前記チルトテーブルに取り付けられていることを特徴とするドーム型カメラ。
【請求項２】
前記インナーカバーは、前記カメラユニットの撮影方向に対応する位置に設けられた窓部と、前記窓部の周囲に設けられた耐衝撃部とを備え、
前記窓部は、チルト方向の切欠きを有していないことを特徴とする請求項１に記載のドーム型カメラ。
【請求項３】
前記耐衝撃部の形状は、前記アウターカバーの天頂部から前記インナーカバーの耐衝撃部に加えられた力の向きを前記パンテーブルの方向へ変換する曲面形状であることを特徴とする請求項２に記載のドーム型カメラ。
【請求項４】
前記インナーカバーは、前記耐衝撃部に対応する位置に補強用のリブを備えたことを特徴とする請求項２または請求項３に記載のドーム型カメラ。
【発明の詳細な説明】
【技術分野】
【０００１】
本発明は、カメラユニットを覆うドームカバーを備えたドーム型カメラに関し、特に、耐衝撃性を向上したドーム型カメラに関するものである。
【背景技術】
【０００２】
ドーム型カメラは、カメラユニットを保護するドームカバーが設けられたカメラ装置であり、施設や建物の天井や壁などに設置される（例えば、特許文献１および２参照）。このようなドーム型カメラは、監視カメラとして用いられることが多いが、その場合、監視されることを好ましく思わない不審者から殴打などの攻撃を受けることがある。そのため、監視カメラとして用いられるドーム型カメラでは、耐衝撃性の向上が求められている（例えば、特許文献３参照）。
【特許文献１】特開２００４−３５６６６８号公報
【特許文献２】特開２００４−３５６６６９号公報
【特許文献３】特開２００３−１７４５７２号公報
【０００３】
ところで、従来のドーム型カメラには、ドームカバーにスモーク処理を施して、カメラの向き（監視方向）を分かりにくくして、防犯性を向上しているものがある。ところが、ドームカバーにスモーク処理を施すと、照明環境によってはカメラの感度が不足してしまうことがある。そこで、ドームカバーを二重構造にした（インナーカバーとアウターカバーを備えた）ドーム型カメラが提案されている（例えば、特許文献４参照）。このドーム型カメラでは、透明なアウターカバーの内側にインナーカバーが設けれられ、インナーカバーにはカメラの視野を確保するための窓部が設けられている。
【特許文献４】特開２００７−２２７９９４号公報
【０００４】
なお、一般に、従来のドーム型カメラでは、インナーカバーはパンテーブルに取り付けられており、インナーカバーはカメラのパン方向の回動には追従するものの、カメラのチルト方向の回動には追従することができなかった。したがって、従来のドーム型カメラでは、チルト方向に回動するカメラの視野を確保するために、インナーカバーの窓部にチルト方向の切欠きが設けられていた。
【発明の開示】
【発明が解決しようとする課題】
【０００５】
しかしながら、従来のドーム型カメラでは、比較的簡単な構造で（例えば、係合爪による係合などで）インナーカバーがパンテーブルに固定されていた。そのため、ドームカバーが殴打などの攻撃を受けると、その衝撃力によってインナーカバーの固定が外れてしまい、カメラによる撮影を続行できなくなる場合があるという問題があった。
【０００６】
本発明は、上記従来の問題を解決するためになされたもので、耐衝撃性を向上したドーム型カメラを提供することを目的とする。
【課題を解決するための手段】
【０００７】
本発明のドーム型カメラは、カメラユニットを有する本体と、前記カメラユニットを覆うドームカバーとを備えたドーム型カメラであって、前記本体は、前記カメラユニットをチルト方向に回動自在に支持するチルトテーブルと、前記カメラユニットを支持した前記チルトテーブルをパン方向に回動自在に支持するパンテーブルと、前記チルトテーブルを前記パンテーブルとは反対方向に付勢する弾性部材とを備え、前記ドームカバーは、前記カメラユニットを覆うインナーカバーと、前記インナーカバーを覆うアウターカバーとを備え、前記チルトテーブルは、前記弾性部材の弾性力に抗して前記パンテーブルの方向に移動可能であり、前記インナーカバーは、前記チルトテーブルに取り付けられている構成を有している。
【０００８】
この構成により、ドーム型カメラのドームカバーが殴打されてアウターカバーが凹んだときに、アウターカバーの凹みがインナーカバーに当たると、殴打の衝撃力がアウターカバーを通してインナーカバーに伝えられるが、このとき、インナーカバーは、チルトテーブルとともに弾性部材を弾性変形させながら、パンテーブルの方向に移動する。したがって、殴打の衝撃力が吸収されてインナーカバーが外れるのを防ぐことができる。また、殴打の衝撃力が減衰したときには、弾性部材の弾性力によってチルトテーブルがインナーカバーとともに元の位置に復帰し、カメラユニットにより撮影を続行することができる。
【０００９】
また、本発明のドーム型カメラでは、前記インナーカバーは、前記カメラユニットの撮影方向に対応する位置に設けられた窓部と、前記窓部の周囲に設けられた耐衝撃部とを備え、前記窓部は、チルト方向の切欠きを有していない構成を有している。
【００１０】
この構成により、インナーカバーの窓部にチルト方向の切欠きが設けられていないので、窓部の周囲の耐衝撃部の強度が高くなり、インナーカバーの耐衝撃性が向上する。一般に、ドームカーバが殴打されたときに凹みやすいのは、ドームカバー（アウターカバー）の天頂部である。チルト機能を備えたドーム型カメラは、カメラユニットをチルトさせた状態で撮影を行うことが多いが、その状態でドームカバーが殴打されてアウターカバーの天頂部が凹むと、斜め方向を向いた状態のカメラユニットに天頂方向から殴打の衝撃力が加えられることになる。つまり、カメラユニットに、斜め方向から殴打の衝撃力が加えられることになる。この場合、カメラユニットには、インナーカバーが取り付けられており、そのインナーカバーには、カメラユニットの撮影方向にある窓部の周囲に耐衝撃部が設けられているので、斜め方向から加えられた衝撃力を高強度の耐衝撃部で受け止めることができる。なお、この場合、インナーカバーがチルトテーブルに取り付けられているので、インナーカバーの窓部は、カメラユニットの撮影方向に対応する位置にだけ設けられていれば十分である。つまり、カメラユニットがチルト回動した場合には、カメラユニットとともにチルトテーブルとインナーカバーが回動するので、インナーカバーの窓部によってカメラユニットの視野が常に確保される。
【００１１】
また、本発明のドーム型カメラでは、前記耐衝撃部の形状は、前記アウターカバーの天頂部から前記インナーカバーの耐衝撃部に加えられた力の向きを前記パンテーブルの方向へ変換する曲面形状である構成を有している。
【００１２】
この構成により、殴打の衝撃力がアウターカバーを通してインナーカバーに伝えられるときに、その衝撃力の向きがパンテーブルの方向へ変換される。すなわち、上述のように、ドームカーバが殴打されたときに凹みやすいのは、ドームカバー（アウターカバー）の天頂部である。チルト機能を備えたドーム型カメラは、カメラユニットをチルトさせた状態で撮影を行うことが多いが、その状態でドームカバーが殴打されてアウターカバーの天頂部が凹むと、斜め方向を向いた状態のカメラユニットに天頂方向から殴打の衝撃力が加えられることになる。つまり、カメラユニットに、斜め方向から殴打の衝撃力が加えられることになる。この場合、ドーム型カメラのドームカバーが殴打されてアウターカバーが凹んだときに、アウターカバーの凹みがインナーカバーの耐衝撃部に当たると、アウターカバーの天頂部から耐衝撃部に加えられた力の向きが、パンテーブルの方向へ変換される。したがって、斜めの方向を向いた状態で殴打の衝撃力が加えられても、インナーカバーはパンテーブルの方向へ弾性部材を弾性変形させながら移動し、これにより、殴打の衝撃力が吸収されてインナーカバーが外れるのを防ぐことができる。
【００１３】
また、本発明のドーム型カメラでは、前記インナーカバーは、前記耐衝撃部に対応する位置に補強用のリブを備えた構成を有している。
【００１４】
この構成により、インナーカバーの耐衝撃部がリブによって補強され、インナーカバーの剛性が高くなる。これにより、インナーカバーの耐衝撃性がさらに向上する。
【発明の効果】
【００１５】
本発明は、ドームカバーが殴打されたときにその衝撃力を吸収しインナーカバーが外れるのを防ぐことができ、耐衝撃性が向上するという効果を有するドーム型カメラを提供することができるものである。
【発明を実施するための最良の形態】
【００１６】
以下、本発明の実施の形態のドーム型カメラについて、図面を用いて説明する。本実施の形態では、監視カメラ等として用いられるドーム型カメラの場合を例示する。
【００１７】
本実施の形態のドーム型カメラの構成を、図面を参照して説明する。図１および図２は、ドーム型カメラの構成を説明するための分解斜視図である（図１は、アウターカバーが外された状態を示しており、図２は、インナーカバーが外された状態の示している）。図１および図２に示すように、ドーム型カメラ１は、カメラユニット２を有する本体３と、カメラユニット２を覆う二重構造のドームカバー４（インナーカバー５とアウターカバー６）を備えている。
【００１８】
ドーム型カメラ１の本体３は、天井や壁などに固定されるベース７を備えている。このベース７には、パン方向に手動で回動するパンテーブル８が取り付けられており、パンテーブル８には、チルト方向に手動で回動するチルトテーブル９が取り付けられている。そして、チルトテーブル９には、ＣＣＤやＣＭＯＳなどの撮像素子（図示せず）を有するカメラユニット２が取り付けられている。つまり、チルトテーブル９は、カメラユニット２をチルト方向に回動自在に支持するように構成されており、パンテーブル８は、カメラユニット２を支持したチルトテーブル９をパン方向に回動自在に支持するように構成されている。なお、ここでは、パン方向とチルト方向に手動で回動する場合について例示するが、本発明の範囲はこれに限定されるものではなく、パンモータやチルトモータを設け、それらのモータの駆動力によってパン方向やチルト方向に自動で回動する構成にしてもよい。
【００１９】
このチルトテーブル９は、パンテーブル８に対して上下方向（図４における上下方向）に移動可能に取り付けられている。具体的には、パンテーブル８に一対の支柱１０が立設されており、各支柱１０には上下方向（図４における上下方向）に延びる長穴１１が設けられている。この長穴１１には取付けねじ１２がスライド可能に挿通されており、この取付けねじ１２によってチルトテーブル９がパンテーブル８に対して上下方向（図４における上下方向）に移動可能に取り付けられている。この取付けねじ１２には、コイルばね１３の一端が固定されており、そのコイルばね１３の他端は、支柱１０の根端側においてパンテーブル８に固定されている。このコイルばね１３の弾性力によって、チルトテーブル９はパンテーブル８とは反対方向（図４における下方向）に付勢されている。つまり、チルトテーブル９がパンテーブル８の方向（図４における上方向）に移動するときには、このコイルばね１３の弾性力に抗して移動することになる。
【００２０】
インナーカバー５は、このチルトテーブル９に取り付けられており、チルトテーブル９とともに上下方向（図４における上下方向）に移動可能である。具体的には、インナーカバー５には、外側に向けて突出する一対の係合爪１４が設けられており（図３参照）、チルトテーブル９には、この係合爪１４に対応する位置に一対の係合穴１５が設けられている（図２参照）。インナーカバー５をカメラユニット２に被せると、インナーカバー５の係合爪１４がチルトテーブル９の係合穴１５に係合して、インナーカバー５がチルトテーブル９に固定される（図１参照）。なお、ここでは、インナーカバー５とチルトテーブル９の固定が、係合爪１４と係合穴１５による係合によって行われる例について説明するが、本発明の範囲はこれに限定されるものではなく、例えば、インナーカバー５とチルトテーブル９の固定は、ねじ等によって行われてもよい。
【００２１】
インナーカバー５は、全体としてドーム形状をしており、カメラユニット２を覆うように構成されている。インナーカバー５には、カメラユニット２の撮影方向に対応する位置に窓部１６が設けられており、この窓部１６によって、カメラユニット２の撮影方向の視野が確保されている。この場合、窓部１６は円形状をしており、従来のようなチルト方向の切欠きは設けられていない。そして、この窓部１６の周囲には耐衝撃部１７が設けられており、この耐衝撃部１７によって、カメラユニット２の斜め方向から加えられた衝撃力が受け止められる（図５参照）。耐衝撃部１７は曲面形状をしており（図１および図２参照）、この曲面形状によって、アウターカバー６の天頂部から耐衝撃部１７に加えられた力の向きをパンテーブル８の方向（図５における上向き）に変換される。
【００２２】
図３に示すように、インナーカバー５の内面には、補強用のリブ１８が設けられている。このリブ１８は、インナーカバー５の耐衝撃部１７に対応する部分（曲面形状の部分）からインナーカバー５の側部（円筒形状の部分）まで延びている。この補強用のリブ１８の端部（図３における上端部）は、インナーカバー５をカメラユニット２に被せたときに、チルトテーブル９の外周に設けられた係止段部１９に係止される（図４参照）。
【００２３】
アウターカバー６は、ドーム形状のカバー部２０と、このカバー部２０を本体３のベース７に取り付けるための取付け部２１を備えている。カバー部２０は、透明または半透明のプラスチック製のカバーであり、このカバー部２０によって、インナーカバー５で覆われたカメラユニット２が覆われている。なお、この場合、アウターカバー６によって、ドーム型カメラ１の本体３が全体的に覆われている。
【００２４】
以上のように構成されたドーム型カメラ１について、図面を用いてその動作を説明する。
【００２５】
以下、本発明の特徴的な動作として、ドーム型カメラ１のカメラユニット２をチルトさせた状態でドームカバー４が殴打されてアウターカバー６が凹んだときの動作について説明する。なお、ドームカバー４が殴打されたときに凹みやすいのは、ドームカバー４（アウターカバー６）の天頂部である。したがって、ここでは、アウターカバー６の天頂部が凹んだときの動作について説明する。
【００２６】
例えば、図４に示すように、ドーム型カメラ１のカメラユニット２を斜めにチルトさせた状態で撮影を行ってるときに、ドームカバー４の天頂部が殴打されると、アウターカバー６の天頂部が凹んで、そのアウターカバー６の凹みがインナーカバー５に当たる。そうすると、図５に示すように、殴打の衝撃力がアウターカバー６を通してインナーカバー５に伝えられ、インナーカバー５は、チルトテーブル９とともにコイルばね１３を弾性変形させながら、パンテーブル８の方向（図５の上方向）に移動する。
【００２７】
このとき、アウターカバー６の凹みがインナーカバー５の耐衝撃部１７に当たり、殴打の衝撃力が耐衝撃部１７で受け止められる。また、アウターカバー６の凹みがインナーカバー５の耐衝撃部１７に当たると、アウターカバー６の天頂部から耐衝撃部１７に加えられた力の向きが、パンテーブル８の方向（図５の上方向）へ変換される。つまり、加えられた力の向きが、耐衝撃部１７の曲面形状によって、曲面の接線方向（インナーカバー５をチルト方向に回転させる方向）の力には変換されず、曲面の法線方向（インナーカバー５をパンテーブル８側に押す方向）の力に変換される。したがって、インナーカバー５は、チルトテーブル９とともにコイルばね１３を弾性変形させながら、パンテーブル８の方向に移動する。
【００２８】
そして、殴打の衝撃力が減衰すると、コイルばね１３の弾性力によってチルトテーブル９がインナーカバー５とともに元の位置に復帰する。
【００２９】
このような本発明の実施の形態のドーム型カメラ１によれば、ドームカバー４が殴打されたときにその衝撃力を吸収しインナーカバー５が外れるのを防ぐことができ、耐衝撃性を向上させることができる。
【００３０】
すなわち、本実施の形態では、ドーム型カメラ１のドームカバー４が殴打されてアウターカバー６が凹んだときに、アウターカバー６の凹みがインナーカバー５に当たると、殴打の衝撃力がアウターカバー６を通してインナーカバー５に伝えられるが、このとき、インナーカバー５は、チルトテーブル９とともに弾性部材を弾性変形させながら、パンテーブル８の方向に移動する。したがって、殴打の衝撃力が吸収されてインナーカバー５が外れるのを防ぐことができる。また、殴打の衝撃力が減衰したときには、弾性部材の弾性力によってチルトテーブル９がインナーカバー５とともに元の位置に復帰し、カメラユニット２により撮影を続行することができる。
【００３１】
この場合、インナーカバー５の窓部１６にチルト方向の切欠きが設けられていないので、窓部１６の周囲の耐衝撃部１７の強度が高くなり、インナーカバー５の耐衝撃性が向上する。一般に、ドームカバー４が殴打されたときに凹みやすいのは、ドームカバー４（アウターカバー６）の天頂部である。チルト機能を備えたドーム型カメラ１は、カメラユニット２をチルトさせた状態で撮影を行うことが多いが、その状態でドームカバー４が殴打されてアウターカバー６の天頂部が凹むと、斜め方向を向いた状態のカメラユニット２に天頂方向から殴打の衝撃力が加えられることになる。つまり、カメラユニット２に、斜め方向から殴打の衝撃力が加えられることになる。この場合、カメラユニット２には、インナーカバー５が取り付けられており、そのインナーカバー５には、カメラユニット２の撮影方向にある窓部１６の周囲に耐衝撃部１７が設けられているので、斜め方向から加えられた衝撃力を高強度の耐衝撃部１７で受け止めることができる。なお、この場合、インナーカバー５がチルトテーブル９に取り付けられているので、インナーカバー５の窓部１６は、カメラユニット２の撮影方向に対応する位置にだけ設けられていれば十分である。つまり、カメラユニット２がチルト回動した場合には、カメラユニット２とともにチルトテーブル９とインナーカバー５が回動するので、インナーカバー５の窓部１６によってカメラユニット２の視野が常に確保される。
【００３２】
さらに、本実施の形態では、殴打の衝撃力がアウターカバー６を通してインナーカバー５に伝えられるときに、その衝撃力の向きがパンテーブル８の方向へ変換される。すなわち、上述のように、ドームカバー４が殴打されたときに凹みやすいのは、ドームカバー４（アウターカバー６）の天頂部である。チルト機能を備えたドーム型カメラ１は、カメラユニット２をチルトさせた状態で撮影を行うことが多いが、その状態でドームカバー４が殴打されてアウターカバー６の天頂部が凹むと、斜め方向を向いた状態のカメラユニット２に天頂方向から殴打の衝撃力が加えられることになる。つまり、カメラユニット２に、斜め方向から殴打の衝撃力が加えられることになる。この場合、ドーム型カメラ１のドームカバー４が殴打されてアウターカバー６が凹んだときに、アウターカバー６の凹みがインナーカバー５の耐衝撃部１７に当たると、アウターカバー６の天頂部から耐衝撃部１７に加えられた力の向きが、パンテーブル８の方向へ変換される。したがって、斜めの方向を向いた状態で殴打の衝撃力が加えられても、インナーカバー５はパンテーブル８の方向へ弾性部材を弾性変形させながら移動し、これにより、殴打の衝撃力が吸収されてインナーカバー５が外れるのを防ぐことができる。
【００３３】
また、本実施の形態では、インナーカバー５の耐衝撃部１７がリブ１８によって補強され、インナーカバー５の剛性が高くなる。これにより、インナーカバー５の耐衝撃性がさらに向上する。この場合、リブ１８の端部がチルトテーブル９の係止段部１９に係止して、インナーカバー５に伝えられた衝撃力が受け止められる。したがって、このリブ１８は、インナーカバー５の外れ防止の役割も果たしている。
【００３４】
以上、本発明の実施の形態を例示により説明したが、本発明の範囲はこれらに限定されるものではなく、請求項に記載された範囲内において目的に応じて変更・変形することが可能である。
【００３５】
例えば、以上の説明では、本発明の弾性部材としてコイルばね１３を用いた例を説明したが、本発明の範囲はこれに限定されるものではなく、チルトテーブル９をパンテーブル８とは反対方向に付勢する機能を有していれば、その他の部材を用いても同様に実施可能である。
【産業上の利用可能性】
【００３６】
以上のように、本発明にかかるドーム型カメラは、耐衝撃性が向上するという効果を有し、監視カメラ等として有用である。
【図面の簡単な説明】
【００３７】
【図１】本実施の形態におけるドーム型カメラの構成を示す分解斜視図
【図２】ドーム型カメラの構成を説明するための分解斜視図
【図３】インナーカバーを裏側からみたときの斜視図
【図４】ドーム型カメラの側面図
【図５】ドーム型カメラが殴打されたときの動作説明のための側面図
【符号の説明】
【００３８】
１  ドーム型カメラ
２  カメラユニット
３  本体
４  ドームカバー
５  インナーカバー
６  アウターカバー
８  パンテーブル
９  チルトテーブル
１３  コイルばね
１６  窓部
１７  耐衝撃部
１８  リブ
【図１】
2010197938.tif 000003
【図２】
2010197938.tif 000004
【図３】
2010197938.tif 000005
【図４】
2010197938.tif 000006
【図５】
2010197938.tif 000007